(57)【要約】      （修正有）【課題】ウイルス等を捕捉する捕捉体が、高価なフィルターを使用することなく、安価で、着用者が息苦しくなく、さらに衛生マスクのみならず防塵マスクとしても使用できるマスクを提供する。【解決手段】接顔部１１に当て布１２を設けた、保形性を有する合成樹脂製で椀状のマスク本体１０と、マスク本体１０に回動自在に枢着されて該マスク本体１０の外面を覆う、保形性を有する合成樹脂製のカバー２０と、前記マスク本体１０とカバー２０との間に着脱自在に介装されて、ウイルス等の微小粒子を吸着する捕捉体３０と、前記カバー２０の左右両側部に取り付けた耳掛け紐４０とを備えたマスクであって、前記捕捉体３０としては、ティッシュペーパー３１を用いて構成する。【選択図】図１
0003157857.tif 000002
【実用新案登録請求の範囲】
【請求項１】
接顔部に当て布を設けた、保形性を有する合成樹脂製で椀状のマスク本体と、マスク本体に回動自在に枢着されて該マスク本体の外面を覆う、保形性を有する合成樹脂製のカバーと、前記マスク本体とカバーとの間に着脱自在に介装されて、ウイルス等の微小粒子を吸着する捕捉体と、前記カバーの左右両側部に取り付けた耳掛け紐とを備えたマスクであって、
前記捕捉体としては、ティッシュペーパーを用いたことを特徴とするマスク。
【請求項２】
前記マスクに取り付けたティッシュペーパーに対して、マスク着用時には、ウイルスや細菌や花粉や粉塵等の微小粒子を除菌ないし殺菌する成分を含有するスプレー剤を噴霧することを特徴とする請求項１に記載のマスク。
【考案の詳細な説明】
【技術分野】
【０００１】
本考案は、風邪や感冒等の疾患の原因となる細菌やウイルス、アレルギーや喘息等の疾患の原因となるハウスダストや花粉や粉塵等の微小粒子を、人間が吸入するのを防ぐために使用されるマスクに関する。
【背景技術】
【０００２】
この種のマスクとしては、集塵機能を有する不織布からなるマスク本体と、このマスク本体の左右両側部に耳掛け紐を取り付けた簡単なマスクが一般的に使用されている。その他に、種々の形状のマスクが提案されている。例えば、その一例として、特開２００７−３７８号公報（特許文献１）も提案されている。
【０００３】
前記特許文献１のマスクは、マスク本体と、マスク本体の外面を覆う外側カバーと、マスク本体に着脱可能に取り付けるフィルターと、マスク本体の左右両側部に取り付けた耳掛け紐とを備えている。その組立は、フィルターをマスク本体に取り付けてから、そのフィルター付きのマスク本体を外側カバー内に挿入する。マスク本体の挿入に先立ち、マスク本体に取り付けた耳掛け紐は外側カバー内に挿入して、該耳掛け紐を外側カバーの紐通し孔に通して取り付けるものである。
【０００４】
この特許文献１のマスクによれば、従来のマスクに比較して、マスクと顔面との密着性が向上し、花粉等の微小粒子の吸い込みを効果的に防止でき、さらに小鼻附近に隙間が生じにくいので、呼気が抜けることに起因するメガネのレンズの曇りを効果的に防止できるであろう。
【０００５】
しかし、特許文献１のマスクは、前述したように、フィルターをマスク本体に取り付けてから、そのフィルター付きのマスク本体を外側カバー内に挿入したり、マスク本体に取り付けた耳掛け紐を外側カバーに挿入したり、該耳掛け紐を外側カバーの紐通し孔に取り付けるなど、多数の組付作業を必要とするため、組付作業が煩雑で面倒である。また、外側カバーは２重層に形成してあると共に、フィルターは除菌剤や抗菌剤等を含浸しているため、高価であるばかりか、着用者が息苦しいなどの問題があった。
【０００６】
このような問題を解決すべく、本願の考案者は、日夜研究と実験を重ねた結果、本願出願人が製造、販売しているフィルター交換式の防塵マスクを転用すれば良いことに想到した。
【０００７】
すなわち、上記防塵マスクは、接顔部に当て布を設けた、保形性を有する合成樹脂製で椀状のマスク本体と、マスク本体に回動自在に枢着されて該マスク本体の外面を覆う、保形性を有する合成樹脂製のカバーと、前記マスク本体とカバーとの間に着脱自在に介装されて、ウイルス等の微小粒子を吸着する捕捉体と、前記カバーの左右両側部に取り付けた耳掛け紐とを備えたものである。
【０００８】
これによれば、特許文献１のマスクが有する前述の如き問題のうち、構成部品の組付作業の煩雑さや面倒さは解消できた。
しかしながら、上記防塵マスクを本考案の如きマスク（衛生マスク）に転用しても、フィルターが高価であるばかりか、マスクの着用者が息苦しい点については、解消できなかった。
【先行技術文献】
【特許文献】
【０００９】
【特許文献１】特開２００７−３７８号公報
【考案の概要】
【考案が解決しようとする課題】
【００１０】
しかしながら、前記特許文献１、及び本願出願人が製造、販売している前記防塵マスク
では、前述したように、フィルターが高価で、マスク着用者が息苦しいなどの問題があった。
【００１１】
本考案は、上記従来の問題を解消するために案出したもので、ウイルス等を捕捉する捕捉体が、従来の高価なフィルターを使用することなく、非常に安価で、着用者が息苦しくなく、さらにマスク（衛生マスク）のみならず防塵マスクとしても使用できるマスクを提供することを目的とする。
【課題を解決するための手段】
【００１２】
上記目的を達成するため、本考案の請求項１のマスクは、接顔部に当て布を設けた、保形性を有する合成樹脂製で椀状のマスク本体と、マスク本体に回動自在に枢着されて該マスク本体の外面を覆う、保形性を有する合成樹脂製のカバーと、前記マスク本体とカバーとの間に着脱自在に介装されて、ウイルス等の微小粒子を吸着する捕捉体と、前記カバーの左右両側部に取り付けた耳掛け紐とを備えたマスクであって、前記捕捉体としては、ティッシュペーパーを用いたことを特徴とする。
【００１３】
請求項２のマスクは、上記請求項１において、前記マスクに取り付けたティッシュペーパーに対して、マスク着用時には、ウイルスや細菌や花粉や粉塵等の微小粒子を除菌ないし殺菌する成分を含有するスプレー剤を噴霧することを特徴とする。
【考案の効果】
【００１４】
本考案の請求項１のマスクは、接顔部に当て布を設けた、保形性を有する合成樹脂製で椀状のマスク本体と、マスク本体に回動自在に枢着されて該マスク本体の外面を覆う、保形性を有する合成樹脂製のカバーと、前記マスク本体とカバーとの間に着脱自在に介装されて、ウイルス等の微小粒子を吸着する捕捉体と、前記カバーの左右両側部に取り付けた耳掛け紐とを備えているから、マスクと顔面との密着性が向上され、花粉等の微小粒子の捕集効果が優れ、顔面への装着性も良く、構成部品の組付作業も簡易に行なえる。
また、前記捕捉体としては、ティッシュペーパーを用いたことを特徴としているから、従来のフィルターに比べて、安価でしかも交換し易く、着用者が息苦しさを感じさせないばかりか、マスク本体に対してカバーを開放するだけで、使用済みのティッシュペーパーを取り外して廃棄し、新しいティッシュペーパーを装着して前記スプレー剤を噴霧する簡単な操作で、何時でも新しいマスクが得られる。さらにティッシュペーパー２枚以上を使用することによって防塵マスクとしても利用できる。
【００１５】
請求項２のマスクは、前記マスクに取り付けたティッシュペーパーに対して、マスク着用時には、ウイルスや細菌や花粉や粉塵等の微小粒子を除菌ないし殺菌する成分を含有するスプレー剤を噴霧することを特徴とするから、ティッシュペーパーに噴霧されたスプレー剤の成分により、ウイルスや細菌や粉塵等の微小粒子が除菌ないし殺菌され、微小粒子の除菌・殺菌効率が極めて高い。しかも、前述したように、新・旧ティッシュペーパーの取り出し、装着操作が簡単であって、毎日でも取り替えでき、経済的にも安価であるマスクが提供できる。さらに、スプレー剤を色々な種類に変更して使用すれば、目的に応じた用途が拡大される。
【図面の簡単な説明】
【００１６】
【図１】本考案のマスクの一実施例を示す分解斜視図である。
【図２】図１に示した構成部品を組立てた状態のマスクで耳掛け紐及びカバーの一部を省略した正面図である。
【図３】図２の右側面図である。
【図４】マスク本体の斜視図である。
【図５】図１においてマスク本体及び当て布を省略した状態で、カバーに取り付けたフィルターにスプレー剤を噴霧する状態を示す斜視図である。
【考案を実施するための形態】
【００１７】
本考案の好ましい実施形態を図１〜図５に基づいて以下に説明する。
このマスク１は、接顔部１１に当て布１２を設けた、保形性を有する合成樹脂製で椀状のマスク本体１０と、マスク本体１０に回動自在に枢着されて該マスク本体１０の外面を覆う、保形性を有する合成樹脂製のカバー２０と、前記マスク本体１０とカバー２０との間に着脱自在に介装されて、ウイルス等の微小粒子を吸着する捕捉体３０と、前記カバー２０の左右両側部に取り付けた耳掛け紐４０とを主要な構成要素としている。
【００１８】
上記構成において、本考案は、前記捕捉体３０としては、ティッシュペーパー３１を用いたことを特徴とする。
このティッシュペーパー３１を２枚以上を重ね合わせて適宜大きさに折り畳んで、前記マスク本体１０とカバー２０との間に介装することにより、防塵マスクとして使用できる。
【００１９】
また、前記マスク１に取り付けたティッシュペーパー３１に対して、マスク着用時には、ウイルスや細菌や花粉や粉塵等の微小粒子を除菌ないし殺菌する成分を含有するスプレー剤５１を噴霧することにすれば（図５参照）、衛生マスクとして採用でき、このマスク１を着用することにより、前述したように、ティッシュペーパー３１に噴霧されたスプレー剤５１の成分により、ウイルスや細菌や粉塵等の微少粒子が除菌ないし殺菌されるなどの利点が達成できる。
【００２０】
前述した実施の形態の詳細は、以下に詳しく説明する実施例１を参照するとよい。
【実施例１】
【００２１】
本考案の実施例１を図１〜図５に基づいて以下に詳説する。
前記マスク本体１０は、着用者（使用者）の鼻から顎までの部位を覆うように立体的な椀状に形成されており、例えば、熱可塑性樹脂を射出成形等によって一体成形して、保形性を有するようにしてある。このマスク本体１０の背面側の接顔部１１には、マスク着用時に顔の皮膚を傷付けないように、弾性のある軟らかい当て布１２を全周に巻き付けている。また、マスク本体１０の正面側（外面側）の上下方向の中央部には、縦長の仕切部１３が形成されていると共に、その仕切部１３の左右両側には通気孔１４、１４が形成されている。
【００２２】
カバー２０は、マスク本体１０の正面側の外面を覆うように全外周に鍔部（側壁）２１を形成すると共に、前面（正面）に格子２２を形成し、その格子２２同上間に通気孔２３…２３を形成してある。また、このカバー２０の鍔部（側壁）２１の下端部の左右両側には、突起片２４、２４を突設すると共に、該カバー２０の背面側の上端部には、前記マスク本体１０の上端部に形成した係合突起１５と係脱自在に係合される被係合突起２５が形成されている。
【００２３】
このカバー２０も、マスク本体１０と同様に、例えば、熱可塑性樹脂を射出成形等によって一体成形して保形性を有するようにしてある。
【００２４】
前記カバー２０の突起片２４、２４を、マスク本体１０の下端部側壁に当てがって、合成樹脂製の枢軸２６で前記突起片２４、２４をマスク本体１０の下端部に回動自在に枢着してある。
従って、マスク本体１０に対してカバー２０を開放している開蓋状態（図１参照）からカバー２０を閉じて行くと、前記枢軸２６を回動中心として閉蓋される（図２、図３参照）。このとき、カバー２０の被係合突起２５はマスク本体１０の係合突起１５と係合してロック状態になる（図３参照）。
【００２５】
上記ロック状態（図２、図３参照）より図１の如くカバー２０を開放する場合には、カバー２０の鍔部（側壁）２１を手指で把持して開放方向へ開放すると、前記被係合突起２５と係合突起１５との係合が解除されるので、該カバー２０を開放方向へ開放して行くと、図１の如くカバー２０が開放され開蓋状態となる。   
【００２６】
また、前記カバー２０の鍔部（側壁）２１の左右両側の下部には、耳掛け紐４０を取り付けるための紐取付部２８、２８が一体に形成してある。耳掛け紐４０は、ゴム紐などの伸縮性素材で形成されているのが好ましいが、この考案ではこれに限定されない。   
【００２７】
前記捕捉体３０として、本考案は、ティッシュペーパー３１を用いたことに特徴を有する。
このティッシュペーパー３１としては、一般的に市販されているティッシュペーパーケースに４００枚前後収容されているティッシュペーパーの１枚（例えば縦１９８mm、横２１６mmの寸法である。）を例えば４つ折り又は６つ折りして重ねて、その折り重ねたものを、図１の如くカバー２０が開蓋状態であるときに、カバー２０の背面（裏面）側に形成された凹陥部２７に見苦しくないように収納する（図５参照）。図５に示す如き収納状態時において、マスク着用の際、前記ティッシュペーパー３１に対して、ウイルスや細菌や花粉や粉塵等の微小粒子を除菌ないし殺菌する成分を含有するスプレー剤５１をスプレー剤収納容器５０を操作することにより、噴霧する（図５参照）。
【００２８】
上記噴霧操作終了後にカバー２０を図２及び図３に示す如く閉蓋して、マスクとして使用できる状態となる。
【００２９】
なお、ティッシュペーパー３１がカバー２０の凹陥部２７に収容され難い場合には、使用者が適宜大きさに切断して収納するようにしてもよい。
【００３０】
また、ティッシュペーパー３１を２枚以上を折り畳んで重ね合わせて、前記カバー２０の凹陥部２７に収納すると共に、前述のようなスプレー剤５１を噴霧せずに、工事現場や工場等で防塵マスクとして使用することもできる。
【００３１】
前述したように、本考案は、マスク本体１０，カバー２０、捕捉体たるティッシュペーパー３１及び耳掛け紐４０の主要部品で構成されているので、これらの部品の組立例を以下に説明する。
【００３２】
先ず、カバー２０の下端部に形成した突起片２４を、マスク本体１０の下端部を抱持する如く当てがって、カバー２０の突起片２４，２４と、マスク本体１０の下端部とを枢軸２６で回動自在に枢着する。
【００３３】
次に、カバー２０に形成した紐取付部２８の紐通し穴２８ａに、ゴム紐などの耳掛け紐４０を嵌挿して適宜長さとして結びつける。
【００３４】
その後に、カバー２０をマスク本体１０より開放した開蓋状態において、カバー２０の背面側に形成した凹陥部２７に、ティッシュペーパー３１の１枚を４つ折り又は６つ折り等任意の形状に折り畳んで重合して収納する。
【００３５】
上記凹陥部２７に収納したティッシュペーパー３１に対してスプレー剤５１を噴霧した後に、該カバー２０をマスク本体１０に閉蓋してロック状態とする。
【００３６】
最後に、マスク本体１０の接顔部１の全周に当て布１２を取り付ける。これにより着用者が鼻から口及び顎にわたり被覆するマスクとして使用できる。
【００３７】
前記部品の組立は、前述の順番に限定されるものではなく、例えば、耳掛け紐４０の取付や、当て布１２の取付け等の順番を変更して組立できるものである。また、スプレー剤５１を噴霧する順番も変更することができる。なお、スプレー剤５１の噴霧方法は、本実施形態では、カバー２０の凹陥部２７側からティッシュペーパー３１に対して噴霧するようにしているが、カバー２０の正面側の前方から噴霧することもできるし、前記凹陥部２７に組み付ける前のティッシュペーパー３１の全体に対してスプレー剤５１を噴霧しておいてから、前記凹陥部２７に組み付ける方法もあり、スプレー剤５１の噴霧方法は任意に選定できる。
【００３８】
なお、ティッシュペーパー３１は、例えば４００枚の全枚数を抗ウイルス剤や除菌剤や殺菌剤等の薬剤で予め処理したものを、無菌袋等に収納しておき、着用者が使用する際に、該無菌袋から１枚を取り出して前述したように、カバー２０の凹陥部２７にセットしてマスクとして使用することもできる。          
【００３９】
本考案で使用されるティッシュペーパー３１は、少なくとも２４時間くらい使用した場合には、別の新しいティッシュペーパー３１と交換する方が好ましい。つまり、ティッシュペーパー３１は使用後は廃棄する使い捨て方式が、衛生上やスプレー剤の効能上等の観点から推奨される。
【００４０】
本考案のマスクは、その包装ケース（図示せず）内に、従来から使用されているフィルター（図示せず）を収納しておき、捕捉体としては、本案品のティッシュペーパー３１と前記フィルター（図示せず）とから選択して使用できるようにすることもできる。
【産業上の利用可能性】
【００４１】
本考案のマスクは、前述した衛生マスクや防塵マスクの用途のほかに、医療分野、食品の製造・調理などの食品分野、その他の分野でも用いることができる。
【符号の説明】
【００４２】
１      マスク
１０    マスク本体
１１    接顔部
１２    当て布
１５    係合突起
２０    カバー
２５    被係合突起
２６    枢軸
２７    凹陥部
２８    紐取付部
３０    捕捉体
３１    ティッシュペーパー
４０    耳掛け紐
５１    スプレー剤
【図１】
0003157857.tif 000003
【図２】
0003157857.tif 000004
【図３】
0003157857.tif 000005
【図４】
0003157857.tif 000006
【図５】
0003157857.tif 000007